(57)【要約】【課題】剛性に優れた熱可塑性樹脂発泡成形体を提供する。【解決手段】［１］スキン層、低発泡層、高発泡層の少なくとも３種類の層をこの順に含有し、スキン層、低発泡層、高発泡層が実質的に同じ熱可塑性樹脂からなり、スキン層の空隙率が１％未満で、低発泡層の空隙率が１％以上４０％未満で、高発泡層の空隙率が４０％以上であることを特徴とする熱可塑性樹脂発泡成形体。［２］上記［１］記載の発泡成形体を基材に積層してなることを特徴とする積層体。［３］さらに、発泡成形体の表面に表皮材を貼合してなる［２］記載の積層体。【選択図】          なし【特許請求の範囲】
【請求項１】
スキン層、低発泡層、高発泡層の少なくとも３種類の層をこの順に含有し、スキン層、低発泡層、高発泡層が実質的に同じ熱可塑性樹脂からなり、スキン層の空隙率が１％未満で、低発泡層の空隙率が１％以上４０％未満で、高発泡層の空隙率が４０％以上であることを特徴とする熱可塑性樹脂発泡成形体。
【請求項２】
高発泡層中の気泡が、高発泡層の厚み方向の径（Ｄ１）と該厚み方向と垂直な方向の径（Ｄ２）との比（Ｄ１／Ｄ２）が１〜４の気泡である請求項１記載の発泡成形体。
【請求項３】
熱可塑性樹脂が、オレフィン系樹脂である請求項１または２記載の発泡成形体。
【請求項４】
発泡剤を含む熱可塑性樹脂を金型キャビティに充填し、金型キャビティの容積を保持するすることにより、スキン層と空隙率１％以上４０％未満の低発泡層を形成し、その後、該金型キャビティ容積を拡大することにより、空隙率４０％以上の高発泡層を形成することにより得られることを特徴とする請求項１〜３記載の発泡成形体。
【請求項５】
発泡剤が、超臨界状態の二酸化炭素および／または窒素である請求項１〜４のいずれかに記載の発泡成形体。
【請求項６】
請求項１〜５のいずれかに記載の発泡成形体を基材に積層してなることを特徴とする積層体。
【請求項７】
さらに、発泡成形体の表面に表皮材を貼合してなる請求項６記載の積層体。
【請求項８】
請求項１〜５のいずれかに記載の発泡成形体に表皮材を貼合してなる加飾発泡成形体。
【発明の詳細な説明】
【０００１】
【発明の属する技術分野】
本発明は熱可塑性樹脂発泡成形体に関する。
【０００２】
【従来の技術】
従来より、自動車部品、家電部品、その他の工業部品等においては、軽量でありながら、剛性に優れていることが強く望まれており、これらの要望を満足する前記部品の材料としては、熱可塑性樹脂発泡成形体が知られている。
熱可塑性樹脂発泡成形体としては、例えば、スキン層と発泡コア層の２層からなるものが知られているが（特許文献１参照）、剛性にはなお改善の余地が残されていた。
【０００３】
【特許文献１】
特開２００２−２３４０４６
【０００４】
【発明が解決しようとする課題】
本発明の目的は、剛性に優れた熱可塑性樹脂発泡成形体を提供することにある。
【０００５】
【課題を解決するための手段】
本発明者らは、上記したような問題を解決し得る熱可塑性樹脂発泡成形体を見出すべく、鋭意検討を重ねた結果、空隙率が１％未満のスキン層、空隙率が１％以上４０％未満の低発泡層、空隙率が４０％以上の高発泡層をこの順に含有する熱可塑性樹脂発泡成形体が、剛性に優れていることを見出し、本発明を完成させるに至った。
【０００６】
即ち、本発明は、スキン層、低発泡層、高発泡層の少なくとも３種類の層をこの順に含有し、スキン層、低発泡層、高発泡層が実質的に同じ熱可塑性樹脂からなり、スキン層の空隙率が１％未満で、低発泡層の空隙率が１％以上４０％未満で、高発泡層の空隙率が４０％以上であることを特徴とする熱可塑性樹脂発泡成形体を提供するものである。
【０００７】
【発明の実施の形態】
本発明において、熱可塑性樹脂発泡成形体とは、気泡を有する熱可塑性樹脂成形体をいう。
本発明の熱可塑性樹脂発泡成形体は、図１に概略断面図を示すように、空隙率が１％未満のスキン層（１）と空隙率が１％以上４０％未満の低発泡層（２）と空隙率が４０％以上の高発泡層（３）の少なくとも３種類を含む層から構成されており、スキン層（１）、低発泡層（２）、高発泡層（３）はこの順に含有されている。
【０００８】
低発泡層（２）の空隙率が１％未満であると軽量化が不十分となり、低発泡層（２）の空隙率が４０％を超えると発泡成形体の剛性が低下する。また、高発泡層（３）の空隙率は軽量化および厚肉化による高剛性化のために大きい方が好ましいが、極度の強度低下を起こさないよう、９８％以下が好ましい。
【０００９】
本発明において、スキン層（１）と低発泡層（２）と高発泡層（３）は熱可塑性樹脂発泡成形体断面において、それぞれ、少なくとも１層存在すればよいが、スキン層（１）と低発泡層（２）は、高発泡層（３）を中心として、その両側に１層ずつ存在することが好ましい。
【００１０】
空隙率の測定は、発泡成形体の主要部分の断面について、走査型電子顕微鏡（ＳＥＭ）等により拡大した写真に基づいて行う。切り出された試料について、発泡成形体厚み方向の断面の低発泡層（２）および高発泡層（３）にて観察される気泡（４）、（５）の占める面積割合を画像解析にて測定し、求めることができる。
【００１１】
本発明における熱可塑性樹脂発泡成形体の気泡形状や大きさ等は特に限定されるものではなく、如何なる形状や大きさであってもよいが、上記低発泡層（２）における平均気泡径は１００μｍ未満が好ましく、高発泡層（３）における平均気泡径は３０μｍ以上３０００μｍ以下が好ましい。
【００１２】
気泡径の測定は、発泡成形体の主要部分の断面について、空隙率の測定と同様に走査型電子顕微鏡（ＳＥＭ）等により拡大した写真に基づいて行う。切り出された試料について、発泡成形体厚み方向の断面の低発泡層（２）および高発泡層（３）にて観察される気泡（４）、（５）の最も小さい径と最も大きな径を測定し、その平均値から求めることができる。
【００１３】
また、熱可塑性樹脂発泡成形体のスキン層（１）、低発泡層（２）、および高発泡層（３）各層の厚みは特に限定されず、発泡成形体の用途や目的、要求性能によって如何なる厚さを適宜選択することができるが、軽量化しながらかつ高剛性な熱可塑性樹脂発泡成形体は、スキン層（１）の厚さは０．０５〜０．７ｍｍ、低発泡層（２）の厚さは０．０５〜０．７ｍｍ、高発泡層（３）の厚さは０．１〜５０ｍｍの範囲にあることが好ましい。
【００１４】
また、本発明における熱可塑性樹脂発泡成形体の発泡倍率は、発泡成形体の比重計で比重を測定し、未発泡成形体の比重を発泡成形体の比重で割った値として求められ、１．２５倍以上であることが好ましく、更なる軽量化のためには１．５倍以上がより好ましい。
【００１５】
本発明の熱可塑性樹脂発泡成形体は、成形体全体が前記したようなスキン層、低発泡層、高発泡層の３種類の層から構成される必要はなく、成形体としての主要部分が前記したようなスキン層、低発泡層、高発泡層の３種類の層からからなる部分で構成されておればよい。
【００１６】
本発明の熱可塑性樹脂発泡成形体は、図２に概略断面図を示すように、高発泡層中の気泡が、高発泡層の厚み方向の径（Ｄ１）と厚み方向と垂直な方向の径（Ｄ２）の比（Ｄ１／Ｄ２）が１〜４の気泡であることが好ましい。
【００１７】
Ｄ１／Ｄ２の値が１未満となると、球形から扁平な形状となるため、発泡成形体の曲げ変形に対しする抗力が小さくなり、圧縮変形に対しても、変形回復力が小さくなる傾向がある。
【００１８】
Ｄ１／Ｄ２の値が４を超えると、気泡形状が極端に細長となり、曲げ変形や圧縮変形に対して、発泡成形体が座屈してしまい、剛性が低下する傾向がある。
【００１９】
Ｄ１およびＤ２の値は、図２に示すとおり発泡成形体の主要部分の断面における、高発泡層の厚み方向中心部の拡大写真を、空隙率や平均気泡径の測定と同様に走査型電子顕微鏡（ＳＥＭ）等により拡大した写真に基づいて行う。高発泡層中心部に掛かる気泡から無作為に選ばれる少なくとも１０個の気泡の、厚み方向の最大径をＤ１とし、厚み方向と垂直な面方向の最大径をＤ２として測定し、個数平均値を算出することにより求めることができる。
【００２０】
本発明で使用される熱可塑性樹脂は、特に限定されるものではなく、公知の熱可塑性樹脂を使用することができる。熱可塑性樹脂としては、例えば、オレフィン系樹脂、スチレン系樹脂、アクリル系樹脂、アミド系樹脂、オレフィン系熱可塑性エラストマー、スチレン系熱可塑性エラストマーなどが挙げられる。これら熱可塑性樹脂の中で、オレフィン系樹脂、オレフィン系熱可塑性エラストマーが好ましく使用される。
【００２１】
オレフィン系樹脂とはオレフィンを主成分とする樹脂が挙げられ、例えば、エチレン、プロピレン、ブテン−１、ペンテン−１、ヘキセン−１、３−メチルブテン−１、４−メチルペンテン−１などの炭素数が２０以下のα−オレフィンの単独重合体、これらのα−オレフィンの中から選ばれる少なくとも２種類のモノマーを共重合してなる共重合体、これらのα−オレフィンと、これらのα−オレフィンと共重合可能な他の不飽和単量体との共重合体などが挙げられる。
他の不飽和単量体としては、例えば、アクリル酸、メタクリル酸等の不飽和カルボン酸；メチル（メタ）アクリレート、２−エチルヘキシルアクリレート、エチル（メタ）アクリレート、ブチル（メタ）アクリレート等の不飽和カルボン酸のアルキルエステル誘導体；フマル酸、マレイン酸、無水マレイン酸、イタコン酸等の不飽和ジカルボン酸または酸無水物；アクリルアミド、Ｎ−（ヒドロキシメチル）アクリルアミド、グリシジル（メタ）アクリレート、アクリロニトリル、メタアクリロニトリル、マレイン酸のモノまたはジエチルエステル、Ｎ−フェニルマレイミド、Ｎ，Ｎ’−メタフェニレンビスマレイミド等の不飽和カルボン酸または不飽和ジカルボン酸の誘導体等が挙げられる。
【００２２】
さらに、上記オレフィン系樹脂には、本発明の目的を損なわない範囲で、オレフィン系樹脂以外の樹脂を添加してもよい。オレフィン系樹脂以外の樹脂としてはスチレン系樹脂、アクリル系樹脂、アミド系樹脂やスチレン−ブタジエンジブロック共重合体の水素添加物、スチレン−ブタジエン−スチレントリブロック共重合体の水素添加物、スチレン−イソプレンジブロック共重合体の水素添加物、スチレン−イソプレン−スチレントリブロック共重合体の水素添加物等のスチレン系エラストマー、これらの混合物などの樹脂が挙げられ、これらは用途に応じて適宜添加される。
【００２３】
オレフィン系熱可塑性エラストマーとは、オレフィン共重合体ゴムとオレフィン重合体が任意の重量比で配合されたものをいう。オレフィン共重合体ゴムは、熱可塑性エラストマー中において未架橋、部分架橋、全体架橋などの状態で存在することができる。好ましくはオレフィン共重合体ゴムが、部分架橋または全体架橋された状態で存在する架橋型オレフィン系熱可塑性エラストマーが用いられる。
【００２４】
上記オレフィン共重合体ゴムとしては、オレフィンを主成分とする無定型ランダムな弾性共重合体であって、例えば、エチレン−プロピレン共重合体ゴム、エチレン−α−オレフィン共重合体ゴム、エチレン−プロピレン−α−オレフィン共重合体ゴム、エチレン−プロピレン−非共役ジエン共重合体ゴム、エチレン−ブテン−１−非共役ジエン共重合体ゴム、プロピレン−ブテン−１共重合体ゴムなどが挙げられる。これらの中でも、エチレン−プロピレン−非共役ジエン共重合体ゴム、エチレン−プロピレン共重合体ゴムが好ましい。非共役ジエンとしては、例えば、ジシクロペンタジエン、１，４−ヘキサジエン、シクロオクタジエン、メチレンノルボルネン、エチリデンノルボルネン等が挙げられるが、これらの中でもエチリデンノルボルネンが好ましい。オレフィン共重合体ゴムとしては、プロピレン単位含有量が１０〜５５重量％、好ましくは２０〜４０重量％、エチリデンノルボルネン単位含有量が１〜３０重量％、好ましくは３〜２０重量％のエチレン−プロピレン−エチリデンノルボルネン共重合体ゴムが特に好ましい。
【００２５】
上記オレフィン共重合体ゴムは、公知の方法で製造することができ、用いられる触媒としては、例えば、チーグラー・ナッタ触媒やメタロセン系均一触媒等が挙げられる。
【００２６】
上記オレフィン系重合体は、オレフィンを主成分とする重合体であり、例えば、プロピレン単独重合体、プロピレン−α−オレフィン共重合体などが挙げられ、これらを１種または２種以上混合して用いることができる。α−オレフィンとしては、例えば、エチレン、１−ブテン、１−ペンテン、３−メチル−１−ブテン、１−ヘキセン、１−デセン、３−メチル−１−ペンテン、４−メチル−１−ペンテン、１−オクテン等が挙げられる。
【００２７】
本発明において、上記の熱可塑性樹脂は、目的に応じて、単独で用いても、２種類以上の樹脂を適宜併用して用いてもよい。例えば、オレフィン系樹脂のような硬質系樹脂を用いた場合、従来の射出成形体や発泡成形体に比べ、軽量かつ非常に剛性に優れた発泡成形体とすることができるし、オレフィン系熱可塑性エラストマーのような軟質系樹脂を用いた場合は、従来の射出成形体や発泡成形体に比べ、軽量かつ剛性とソフト感のバランスに優れた性能を有することができる。また、オレフィン系樹脂とオレフィン系熱可塑性エラストマーを任意の割合で配合して用いることにより、目的に応じた剛性とソフト感のバランスを有する発泡成形体を得ることもできる。
【００２８】
本発明における熱可塑性樹脂には、本発明の目的を損なわない範囲で、タルク、マイカ、クレー、炭酸カルシウム、水酸化アルミニウム、水酸化マグネシウム、ワラストナイト、硫酸バリウム、ガラス繊維、カーボン繊維、シリカ、ケイ酸カルシウム、チタン酸カリウム、ウォラストナイト等の無機充填材を適宜配合されていてもよい。
【００２９】
また、本発明の熱可塑性樹脂は、発明の目的を損なわない範囲で、各種の添加剤を適宜配合してもよい。添加剤としては、例えば、フェノール系、有機ホスファイト系、ホスナイトなどの有機リン系、チオエーテル系等の酸化防止剤；ヒンダードアミン系等の熱安定剤；ベンゾフェノン系、ベンゾトリアゾール系、ベンゾエート系等の紫外線吸収剤；ノニオン系、カチオン系、アニオン系等の帯電防止剤；ビスアミド系、ワックス系、有機金属塩系等の分散剤；アルカリ土類金属塩のカルボン酸塩系等の塩素補足剤；アミド系、ワックス系、有機金属塩系、エステル系等の滑剤；オキシド系、ハイドロタルサイト系等の分解剤；ヒドラジン系、アミン系等の金属不活性剤；含臭素有機系、リン酸系、三酸化アンチモン、水酸化マグネシウム、赤リン等の難燃剤；有機顔料；無機顔料；有機充填剤；金属イオン系などの無機、有機抗菌剤、有機リン酸系、ソルビトール系化合物などの結晶核剤などが挙げられる。
【００３０】
本発明の発泡成形体を発泡成形する方法としては、例えば、射出発泡成形、プレス発泡成形、押出発泡成形、スタンパブル発泡成形などの公知の方法を採用することができるが、射出発泡成形により成形することが好ましい。
【００３１】
射出発泡成形は、射出成形装置の金型キャビティに金型キャビティに発泡剤を含む熱可塑性樹脂を充填して金型キャビティの容積を保持することにより、スキン層と発泡剤のガスを膨張させることにより形成される空隙率１％以上４０％未満の低発泡層とを形成させた後、該金型キャビティ容積の少なくとも一部を拡大させ、キャビティ厚み方向中心部分の樹脂を空隙率４０％以上となるように発泡剤のガスをさらに膨張させて高発泡層を形成させ、次いで発泡樹脂を冷却、固化させる成形方法であり、このようにして得られる発泡成形体は、発泡成形体の気泡形状が、著しい破れや中空状態となるような不良のない良好な発泡状態となるため好ましく用いられる。
【００３２】
空隙率１％以上４０％未満となるように発泡剤のガスを膨張させ低発泡層を形成させる方法としては、例えば、金型キャビティに発泡剤を含む樹脂の射出終了直後の時点で、該キャビティ容積すべてが樹脂で充填され、冷却に伴う樹脂の収縮体積分を、発泡剤のガスを膨張させ発泡させる方法、金型キャビティの容積より少ない体積の発泡剤を含む樹脂を射出し、発泡剤のガスの膨張により金型キャビティに樹脂を充填させ発泡させる方法、金型キャビティに発泡剤を含む樹脂を射出し、しかる後空隙率１％以上４０％未満となるように微少量該キャビティ容積の少なくとも一部を拡大させ、発泡剤のガスを膨張させ金型内の樹脂を発泡させる方法などが挙げられるが、金型キャビティに発泡剤を含む樹脂の射出終了直後の時点で、該キャビティ容積すべてが樹脂で充填され、冷却に伴う樹脂の収縮体積分を、発泡剤のガスを膨張させ発泡させる方法が好ましい。
【００３３】
本発明において金型キャビティ容積の少なくとも一部を拡大させ、キャビティ厚み方向中心部分の樹脂を空隙率４０％以上となるように発泡剤のガスをさらに膨張させて高発泡層を形成させる方法としては、公知の方法を用いることができ、例えば、金型キャビティ壁面を後退させ、キャビティ全体の容積を拡大させる方法、スライドコアを用いて部分的および／またはキャビティ全体の容積を拡大させる方法、さらには上記の方法を２種類以上組合せる方法などが挙げられる。
【００３４】
該射出発泡成形法は、ガスアシスト成形、メルトコア成形、インサート成形、２色成形等の如何なる方法と組み合わされて実施されてもよい。
本熱可塑性樹脂発泡成形体の形状は、特に限定されず、公知の如何なる形状のものであってもよい。
【００３５】
本発明で使用される発泡剤は、特に限定されるものではなく、化学発泡剤、物理発泡剤などの公知のものを使用することができる。
【００３６】
化学発泡剤は、熱可塑性樹脂の溶融温度以下では分解せず、熱可塑性樹脂の溶融温度以上で分解または反応するものであれば特に限定されず、無機化合物であっても、有機化合物であってもよく、２種以上を併用してもよい。
無機化合物としては、例えば、炭酸水素ナトリウム等の炭酸水素塩、炭酸アンモニウムなどが挙げられる。
有機化合物としては、例えば、ポリカルボン酸、アゾ化合物、スルホンヒドラジド化合物、ニトロソ化合物、ｐ−トルエンスルホニルセミカルバジド、イソシアネート化合物などが挙げられる。
ポリカルボン酸としては、例えば、クエン酸、クエン酸、シュウ酸、フマル酸、フタル酸などが挙げられる。
アゾ化合物としては、例えば、アゾジカルボンアミド（ＡＤＣＡ）などが挙げられる。
スルホンヒドラジド化合物としては、例えば、ｐ−メチルウレタンベンゼンスルホニルヒドラジド、２，４−トルエンジスルホニルヒドラジド、４，４’−オキシビスベンゼンスルホニルヒドラジドなどが挙げられる。
ニトロソ化合物としては、例えば、ジニトロソペンタメチレンテトラミン（ＤＰＴ）などが挙げられる。
【００３７】
物理発泡剤としては、例えば、窒素、二酸化炭素等の不活性ガス、ブタン、ペンタン等のフロン系以外の揮発性有機化合物などが挙げられる。物理発泡剤は２種以上を併用してもよく、化学発泡剤と物理発泡剤を併用してもよい。
【００３８】
本発明で用いられる発泡剤は、不活性ガスであることが好ましい。不活性ガスは、対象となる樹脂に対し反応性を示さず、樹脂を劣化させる恐れのない、常温常圧でガス状の無機物質であることが好ましい。不活性ガスとしては、例えば、二酸化炭素、窒素、アルゴン、ネオン、ヘリウム、酸素等が挙げられる。これらは、単独でも、２種類以上を併用してもよい。これらの中で、二酸化炭素、窒素、これらの混合物は安価であり安全性が高いため、好ましく用いられる。
また、発泡剤として超臨界状態の不活性ガスを用いることは、樹脂への溶解性が高く、短時間で物理発泡剤を樹脂中に均一に拡散させることが可能で、発生する発泡セル数を増加させる効果があるため、良好な発泡セル構造をもつ発泡成形体が得られるため好ましい。さらには発泡剤として超臨界状態の不活性ガスは、発泡圧力が高いので、金型キャビティに発泡剤を含む樹脂の射出終了直後の時点で、該キャビティ容積すべてが樹脂で充填され、冷却に伴う樹脂の収縮体積分を、発泡剤のガスを膨張させ発泡させる方法に好ましく用いられる。
【００３９】
熱可塑性樹脂と不活性ガス混合方法は、発泡剤の不活性ガスを超臨界状態で射出成形装置のシリンダ内に注入して、溶融樹脂と不活性ガスを混合、分散、溶解させる方法が、発泡成形体が全体的に均一な発泡状態となり、また成形サイクル短縮の観点からも好ましい。超臨界状態の不活性ガスとしては、窒素および／または二酸化炭素が好ましく使用される。
【００４０】
本発明の発泡成形体は、基材に貼合一体化などの方法により積層されることにより積層体とすることができる。
また、該積層体の発泡成形体側の表面には、表皮材を貼合してもよい。
さらに、本発明の発泡成形体に表皮材を貼合して加飾発泡成形体とすることもできる。
【００４１】
該表皮材としては、公知の表皮材を使用できる。具体的な表皮材としては、織布、不織布、編布、熱可塑性樹脂ないし熱可塑性エラストマーにて形成されたフィルム、シート等が例示される。さらに、これらの表皮材に、ポリウレタン、ゴム、熱可塑性エラストマー等の非発泡シートを積層した複合表皮材を使用してもよい。
表皮材には、さらにクッション層を設けることができる。かかるクッション層を構成する材料は、ポリウレタンフォーム、ＥＶＡフォーム、ポリプロピレンフォーム、ポリエチレンフォーム等が例示される。
また、表皮材には、保護層となる裏打ち層を設けることも可能であり、裏打ち層としては、織布、不織布、編布、熱可塑性樹脂もしくは熱可塑性エラストマー等のシートもしくはフィルム等が例示される。
【００４２】
また、本発明に適用される表皮材は通気性を有することが好ましく、例えば、織物や編物、上記したのと同様の不織布などのほか、熱可塑性樹脂や熱可塑性エラストマーからなるシートやフィルムに孔を開けて通気性を付与したものなどが挙げられる。表皮材が多層構造通気性を有する場合、表皮材を構成するすべての層において通気性を有する必要はなく、少なくとも本発明の発泡成形体との積層面側の層が通気性を有していればよい。
【００４３】
本発明の発泡成形体は、既存の成形法と組合せることで裏面に基材を設置した積層体とすることができる。既存の射出成形法としては、例えば、インサート成形、二色成形等がある。
【００４４】
インサート成形法では本発明の発泡成形体を予め製造し、これを射出成形金型キャビティ内に設置した後、基材樹脂となる熱可塑性樹脂を射出成形することにより、発泡成形体に基材が密着した積層体が得られる。
【００４５】
また、基材樹脂となる熱可塑性樹脂を予め成形し、これを金型キャビティ内に設置した後、本発明の発泡成形体を発泡成形することによっても、発泡成形体に基材が密着した積層体が得られる。
【００４６】
二色成形法では基材樹脂となる熱可塑性樹脂を射出した後、続いて本発明の発泡成形体を発泡成形することにより、本発明の発泡成形体に熱可塑性樹脂からなる基材が密着した積層体が得られる。
【００４７】
上記基材樹脂として用いられる熱可塑性樹脂には各種の樹脂を使用することができるが、プロピレン系樹脂が好ましく使用される。プロピレン系樹脂としては、例えばプロピレン単独重合体、プロピレン−α−オレフィンランダム共重合体、プロピレン−エチレンブロック共重合体等が挙げられ、これらを単独または混合して用いることができる。また、これらプロピレン系樹脂に熱可塑性エラストマーやゴムや各種無機フィラーを混合したものも好適である。
【００４８】
該積層体は、金型キャビティ内に上記の表皮材を設置した状態で発泡成形体を発泡成形し得られた積層体に上記に示したインサート成形を行うことで、表皮材／発泡成形体／基材で構成される積層体を得ることができる。また、予め表皮材と基材を金型キャビティ内に設置された状態で、表皮材と基材の間で本発明の発泡成形体を発泡成形する方法によっても、表皮材／発泡成形体／基材で構成される積層体を得ることができる。
【００４９】
本発明の発泡用熱可塑性樹脂発泡成形体は、スキン層と低発泡層と高発泡層の３種の層から構成されていることにから、軽量かつ剛性に優れており、自動車用や家電用、その他の工業用製品などの用途に好適に使用することができる。
【００５０】
【実施例】
以下、本発明を実施例を用いて更に具体的に説明するが、本発明が実施例により限定されるものでないことは言うまでもない。
【００５１】
［評価方法］
メルトフローレート（ＭＦＲ）
実施例中の分析値は以下の方法で求めた。
ＪＩＳ  Ｋ７２１０に準拠して、プロピレンから誘導される繰り返し単位を主成分とする樹脂については温度２３０℃、荷重２．１６ｋｇｆなる条件で測定した。
発泡倍率
発泡体の発泡倍率は、比重計（ミラージュ貿易株式会社製、電子比重計  ＥＷ−２００ＳＧ）で比重を測定し、未発泡成形体の比重を発泡成形体の比重で割った値で示した。
スキン層、低発泡層、高発泡層の厚みおよび空隙率
発泡成形体を切断して、その断面を走査電子顕微鏡にて観察し、気泡の状態を判定した。またスキン層、低発泡層、高発泡層の厚み測定を行い、さらに低発泡層および高発泡層の空隙率をナノシステム株式会社製の画像処理ソフト「ＮｏｎａＨｕｎｔｅｒ  ＮＳ  ２Ｋ−Ｐｒｏ」を用いて画像解析を行って測定した。
弾性勾配（単位：Ｎ／ｃｍ）
発泡成形体を切削加工し、５０×１５０ｍｍの試験片として、その試験片をスパン１００ｍｍで両端を支持し、中央部に５０ｍｍ／ｍｉｎの速さで荷重を加えて荷重・たわみ曲線を作成し、その初期直線部分から１ｃｍ変形時の荷重を弾性勾配としてＮ／ｃｍであらわした。
【００５２】
実施例１
熱可塑性樹脂として、ポリプロピレンＡＺ１６１Ｃ（三井住友ポリオレフィン社製    ＭＦＲ    ３０／１０ｍｉｎ）を用いた。射出成形機として、エンゲル社製ＥＳ２５５０／４００ＨＬ−ＭｕＣｅｌｌ（型締力４００トン）、金型として図２に示した、成形品部寸法が２９０ｍｍ×３７０ｍｍ、高さ４５ｍｍ、厚み２ｍｍｔの箱型形状（ゲート構造：バルブゲート、成形体中央部分）を有するものを用いて発泡成形を実施した。発泡剤として超臨界状態の窒素を用い、成形機のシリンダ内に２０ＭＰａに加圧して供給した（発泡剤注入量  １．２％）。熱可塑性樹脂と発泡剤の混合物を成形温度２００℃、型温６０℃で、金型内にフル充填するように射出し、保圧を掛けずに７．５秒間金型内で同溶融樹脂を発泡させ、低発泡層の発泡樹脂を冷却・固化させた。ついで金型のキャビティ壁面を１．９５ｍｍ後退させて該キャビティ容積を拡大させ、キャビティ厚み方向中心部分を発泡させ、発泡樹脂を冷却、固化させて発泡成形体を得、評価を行った。結果を表１に示す。
【００５３】
比較例１
溶融樹脂を金型内にフル充填するように射出し、金型内で低発泡層を形成しないように、射出の０．５秒後に金型のキャビティ壁面を１．９５ｍｍ後退させた以外は、実施例１と同様の材料と装置を用いて熱可塑性樹脂発泡体を得、評価を行った。実施例１に比べて低発泡層が存在せず、弾性勾配が低下した。結果を表１に示す。
【００５４】
【表１】
2005040992.tif 000002
【００５５】
【発明の効果】
本発明によれば、剛性に優れた熱可塑性樹脂発泡成形体を提供することが可能となる。該熱可塑性樹脂発泡成形体は、軽量かつ剛性に優れていることから、自動車用や家電用、その他の工業用製品などの用途に好適に使用することができる。
【図面の簡単な説明】
【図１】本発明の熱可塑性樹脂発泡成形体の拡大された厚み方向の概略断面図である。
【図２】本発明の熱可塑性樹脂発泡成形体の拡大された高発泡層の中心部付近の拡大概略断面図である。
【図３】熱可塑性樹脂発泡成形体の作成時に用いた成形体の外観図である。
【符号の説明】
１：スキン層
２：低発泡層
３：高発泡層
４：低発泡層の気泡
５：高発泡層の気泡
１１：ゲート
【図１】
2005040992.tif 000003
【図２】
2005040992.tif 000004
【図３】
2005040992.tif 000005